(57)【要約】【課題】２画面表示中に、スピーカーから聴こえる音声に煩わされることなくヘッドフォンで音声を聴取する。【解決手段】メイン画面音声減衰信号生成部１１０においては、位相制御部３０５においてメイン画面音声信号３００の１８０度位相を反転した信号を生成し、これに対し、システム固有に持つ音声処理系遅延情報、音声伝送系遅延情報を含む音声システム系遅延情報３０２と、テレビ本体１とリモコン装置２０との距離情報３０１とを基に、メイン画面音声信号の遅延量を導出し、リモコン装置２０の位置、すなわち聴取位置においてメイン画面音声が打ち消される位相の音声信号を生成する。さらに、ゲイン制御部３０６において、前述したリモコン装置２０で検出したメイン画面音声の音量情報３０４を基にゲイン制御を行い、メイン画面音声減衰信号３０７を生成する。【選択図】図５
2008177893.tif 000002
【特許請求の範囲】
【請求項１】
２画面表示可能なテレビジョン受像機と、前記テレビジョン受像機を遠隔操作するリモコン装置と、該リモコン装置に設けられたヘッドフォン端子に接続可能なヘッドフォンと、を有する２画面表示テレビジョン受像機システムであって、
前記テレビジョン受像機は、２画面表示のうち第１の画面表示側のスピーカーから出力される第１の音声信号とは異なる音声信号であって前記スピーカーから出力されない方の第２の画面表示側の第２の音声信号を前記リモコン装置へ送信する音声送信部を有し、
前記リモコン装置は、前記第２の音声信号を受信する音声受信部と、該第２の音声信号を出力するヘッドフォン端子と、を有し、
前記ヘッドフォンを使用して前記第２の音声信号を聴取する際に、前記スピーカーからの前記第１の音声の漏れ込みを低減する音声分離機能を有することを特徴とするシステム。
【請求項２】
前記音声分離機能は、
前記リモコン装置又は前記ヘッドフォンより送信される、前記距離を計測するための第１の情報と前記スピーカーからの前記第１の音声信号の音量を計測した第２の情報とを受信する信号受信部と、
受信した前記第１及び第２の情報に基づき、前記スピーカーからの前記第１の音声信号の音量を減衰するための音声減衰制御信号を生成するメイン音声減衰信号生成部と、
該メイン音声減衰信号生成部により生成されたメイン音声減衰信号を前記リモコン装置に送信する音声送信部と
を有することを特徴とする請求項１に記載のシステム。
【請求項３】
前記メイン音声減衰信号を前記第２の音声信号と混合して前記リモコン装置へ送信することを特徴とする請求項２に記載のシステム。
【請求項４】
前記テレビジョン受像機は、
前記ヘッドフォンを使用した前記第２の音声信号の聴取時に、前記スピーカーからの音声の漏れ込みを低減するため、前記音声減衰信号を生成するための処理を行わせるための調整用操作部を有することを特徴とする請求項１に記載のシステム。
【請求項５】
前記リモコン装置は、前記ヘッドフォンを使用した前記第２の音声信号の聴取時に前記スピーカーから前記ヘッドフォンへの第１の音声信号の漏れ込みを低減するために設けられ、前記テレビジョン受像機との距離を計測した第１の情報と前記テレビジョン受像機の前記スピーカーからの前記第２の音声の音量を計測した第２の情報とを前記テレビジョン受像機に送信するリモコン送信部を有することを特徴とする請求項１に記載のシステム。
【請求項６】
前記ヘッドフォンは、
前記第２の音声信号を、該ヘッドフォンを使用した前記第２の音声信号の聴取時に、前記スピーカーからの音声の漏れ込みを低減するために設けられ、前記テレビジョン受像機との距離を計測するための第１の情報と前記テレビジョン受像機の前記スピーカーからの音量を計測した第２の情報とを合わせた音量減衰制御信号を生成するリモコン信号生成部と、該音量減衰制御信号を送信するリモコン送信部と、を有することを特徴とする請求項１に記載のシステム。
【請求項７】
２画面表示可能なテレビジョン受像機と、前記テレビジョン受像機を遠隔操作するリモコン装置と、該リモコン装置に設けられたヘッドフォン端子に接続可能なヘッドフォンと、を有する２画面表示テレビジョン受像機システムに用いられるテレビジョン受像機であって、
２画面表示のうち第１の画面表示側のスピーカーから出力される第１の音声信号とは異なる音声信号であって前記スピーカーから出力されない方の第２の画面表示側の第２の音声信号を前記リモコン装置へ送信する音声送信部と、
前記ヘッドフォンを使用して前記第２の音声信号を聴取する際に、前記リモコン装置が受信した前記第１の音声信号に基づいて、該第１の音声の前記ヘッドフォンへの漏れ込みを低減する音声分離機能を有することを特徴とするテレビジョン受像機。
【請求項８】
前記音声分離機能は、
前記リモコン装置又は前記ヘッドフォンから送信される、前記距離を計測するための第１の情報と前記スピーカーからの音量を計測した第２の情報とを受信する信号受信部と、
受信した前記第１及び第２の情報に基づき、前記スピーカーからの音量を減衰するための音声減衰制御信号を生成するメイン音声減衰信号生成部と、
該メイン音声減衰信号生成部により生成されたメイン音声減衰信号を前記リモコン装置に送信する音声送信部と
を含んで構成されていることを特徴とする請求項７に記載のテレビジョン受像機。
【請求項９】
前記メイン音声減衰信号を前記スピーカーから出力する前記第１の音声と異なる前記第２の音声信号と混合して前記リモコン装置へ送信することを特徴とする請求項８に記載のテレビジョン受像機。
【請求項１０】
前記テレビジョン受像機は、
前記ヘッドフォンを使用した前記第２の音声信号の聴取時に、前記スピーカーからの前記第１の音声の漏れ込みを低減するため、前記音声減衰信号を生成するための処理を行わせるための調整用操作部を有することを特徴とする請求項７に記載のテレビジョン受像機。
【請求項１１】
２画面表示可能なテレビジョン受像機と、前記テレビジョン受像機を遠隔操作するリモコン装置と、該リモコン装置に設けられたヘッドフォン端子に接続可能なヘッドフォンと、を有する２画面表示テレビジョン受像機システムに用いられるリモコン装置であって、
２画面表示のうち第１の画面表示側のスピーカーから出力される第１の音声信号とは異なる音声信号であって前記スピーカーから出力されない方の第２の画面表示側の第２の音声信号を前記ヘッドフォンを使用して聴取する際に、前記スピーカーからの第１の音声信号の漏れ込みを低減するために設けられ、前記テレビジョン受像機との距離を計測した第１の情報と前記テレビジョン受像機の前記スピーカーからの音量を計測した第２の情報とを前記テレビジョン受像機に送信するリモコン送信部を有することを特徴とするリモコン装置。
【請求項１２】
２画面表示可能なテレビジョン受像機と、前記テレビジョン受像機を遠隔操作するリモコン装置と、該リモコン装置に設けられたヘッドフォン端子に接続可能なヘッドフォンと、を有する２画面表示テレビジョン受像機システムに用いられるヘッドフォンであって、
２画面表示のうちスピーカーから出力される第１の音声信号とは異なる音声信号であって前記スピーカーから出力されない方の第２の画面表示側の前記第２の音声信号を、該ヘッドフォンを使用して聴取する際に、前記スピーカーからの前記第１の音声の漏れ込みを低減するために設けられ、前記テレビジョン受像機との距離を計測するための第１の情報と前記テレビジョン受像機の前記スピーカーからの音量を計測した第２の情報とを合わせた音量減衰制御信号を生成するリモコン信号生成部と、該音量減衰制御信号を送信するリモコン送信部を有することを特徴とするヘッドフォン。
【発明の詳細な説明】
【技術分野】
【０００１】
本発明は、多画面表示機能を搭載する大画面ディスプレイテレビジョン受像機、及び、そのリモコン装置、及び、そのヘッドフォン装置に関する。
【背景技術】
【０００２】
近年、液晶ディスプレイテレビジョン受像機やプラズマディスプレイテレビジョン受像機などの薄型ディスプレイテレビジョン受像機が普及してきており、更に、ディスプレイパネル製造技術の進歩に伴い大画面化が可能となり、薄型ディスプレイテレビジョン受像機の大画面化が進んでいる。
【０００３】
また、１台のテレビジョン受像機に、複数のテレビチューナー、複数の入力端子を搭載し、大画面表示の特徴を活かすべく２画面などの多画面分割表示（以下、２画面で代表する）も基本機能として備わりつつある。２画面表示機能により、１台のテレビ画面で同時に異なるコンテンツを見ることが可能となる。
【０００４】
しかしながら、メイン画像とサブ画像との２画面分割表示を行った場合に、通常は、テレビジョン受像機に搭載するスピーカーからメイン画面の音声のみを出力するように構成されており、サブ画面の音声を同時に聴くことはできない。仮に、ステレオ用として搭載の２チャンネルのそれぞれのスピーカーから２画面それぞれの音声を出力させると、それぞれの異なる音声が互いに干渉しあい、非常に聴きづらいという問題があり実用的ではない。
【０００５】
下記特許文献１、２に記載されている技術では、この問題を解決するため、テレビ本体から２画面分割表示時のサブ画面の音声信号をワイヤレスで送信し、リモコンに搭載した音声信号受信装置で受信し、メイン画面の音声とは独立にサブ画面の音声を出力することを可能としている。音声信号受信部にはヘッドフォン端子が搭載され、ヘッドフォン端子で音声を聞くために、メイン画面の音声の影響が低減される。
【０００６】
【特許文献１】特開２００４−１８７２７６
【特許文献２】特開２００２−１５８８８８
【発明の開示】
【発明が解決しようとする課題】
【０００７】
しかしながら、上記特許文献１・２の技術によれば、音声信号受信部に接続のヘッドフォンでサブ画面の音声を聞くことが可能となるが、メイン画面の音声がテレビ本体に搭載されているスピーカーから出力しているため、ヘッドフォンを通しメイン画面の音声が漏れ聴こえてしまい、サブ画面の音声が聴きづらい場合があるという問題がある。
【０００８】
本発明は、２画面表示中に、スピーカーから聴こえる音声に煩わされることなくヘッドフォンで音声を聴取できる技術を提供することを目的とする。
【課題を解決するための手段】
【０００９】
本発明は、２画面表示可能なテレビジョン受像機であり、２画面表示中のスピーカーから出力されない片画面側の音声を、前記テレビジョン受像機を遠隔操作するリモコンへ送信することが可能で、前記リモコンは前記音声信号を受信しヘッドフォン端子へ出力することが可能な、リモコン付き２画面表示テレビジョン受像機において、音声がスピーカーから出力されない画面用の音声を、ヘッドフォンを使用した聴取時に、スピーカーからの音声の漏れ込みを低減する機能を有する。
【００１０】
音声がスピーカーから出力されない画面用の音声を、ヘッドフォンを使用した聴取時に、スピーカーからの音声の漏れ込みを低減するため、前記リモコンは、前記テレビジョン受像機との距離を計測するための情報と前記テレビジョン受像機のスピーカーからの音量を計測した情報とを合わせた信号を生成し送信する機能を有する。
【００１１】
前記ヘッドフォンは、前記テレビジョン受像機との距離を計測するための情報と前記テレビジョン受像機のスピーカーからの音量を計測した情報とを合わせた信号を生成し送信する機能を有する。
【００１２】
前記テレビジョン受像機は、前記リモコンあるいは前記ヘッドフォンより送信される前記リモコン信号から前記距離を計測するための情報と前記スピーカーからの音量を計測した情報とを合わせた信号を受信する機能と、前記受信した情報を基に前記スピーカーからの音声信号を減衰させる信号を生成し前記スピーカーから出力する音声と違う音声信号に混合しリモコンへ送信する機能と、を有する。
【００１３】
また、前記リモコンは、前記音声減衰信号を生成するための調整用操作部を設け、手動操作で前記減衰量を調整可能とする機能を有しても良い。
【発明の効果】
【００１４】
本発明によれば、２画面表示可能なテレビジョン受像機であって、２画面表示中のスピーカーから出力されない片画面側の音声を、前記テレビジョン受像機を遠隔操作するリモコンへ送信することが可能で、前記リモコンには前記音声信号を受信しヘッドフォン端子へ出力することが可能なリモコン付き２画面表示テレビジョン受像機において、音声がスピーカーから出力されない画面用の音声を、ヘッドフォンを使用した聴取時に、スピーカーからの音声の漏れ込みを低減することができる。ユーザーは２画面表示中、スピーカーから聴こえる音声に煩わされること無くヘッドフォンで音声を聴取できる。
【００１５】
また、前記リモコンは、前記音声減衰信号を生成するための調整用操作部を設け、手動操作で前記減衰量を調整可能とする機能を有するので、ヘッドフォンとリモコンの位置が一致しない場合、スピーカーからの音声以外の雑音による音量検出結果が正しくない場合、スピーカーからの音声を低減させる機能が正しく動作しないこともありうるが、ユーザーは２画面表示中、手動操作で前記減衰量を調整することで、スピーカーから聴こえる音声に煩わされること無くヘッドフォンで音声を聴取することができる。
【００１６】
さらに、前記ヘッドフォンは、前記テレビジョン受像機との距離を計測するための情報と前記テレビジョン受像機のスピーカーからの音量を計測した情報とを合わせた信号を生成し送信する機能を有するので、ユーザーの実際の聴取位置で計測可能となり、ヘッドフォンへ漏れ込んでくるスピーカーからのメイン画面用音声信号を減衰させるための信号生成の精度を上げることが可能となる。
【発明を実施するための最良の形態】
【００１７】
本明細書において、２画面表示が可能なテレビジョン受像機との表現は、少なくとも２画面表示が可能という意味であり、３画面以上であっても良く、そのような多画面表示の場合も含むものである。３画面以上の場合には、メイン表示以外に例えば第１のサブ表示と第２のサブ表示が行われるが、スピーカーからの漏れ込みはメイン表示に対応するものであり、いずれかのサブ表示に決めれば、このサブ表示とメイン表示とに関するものであり、２画面表示と同様に取り扱うことができる。
【００１８】
以下、本発明の一実施の形態によるテレビジョン受信システムについて、図面を参照しながら詳細に説明する。図１は、本実施の形態によるテレビジョン受像機とリモコンの装置を含むシステムの全体の構成例を示す図である。図２は、本実施の形態によるテレビジョン受像機内の一構成例を示す機能ブロック図である。図３は、本実施の形態によるリモコン装置の一構成例を示す機能ブロック図である。図４は、本実施の形態によるヘッドフォン装置の一構成例を示す機能ブロック図である。図５は、本実施の形態によるメイン画面音声減衰信号生成部の一構成例を示す機能ブロック図である。図６は、リモコン装置の処理の流れを示すフローチャート図である。図７は、テレビジョン受像機の処理の流れを示すフローチャート図である。図８は、メイン画面音声減衰信号生成部の処理の流れを示すフローチャート図である。
【００１９】
図１に示すように、本実施の形態によるシステムは、テレビジョン受像機１と、それを遠隔制御するリモコン装置２０と、サブ音声を聴取することができるヘッドフォン３１と、を有して構成されている。テレビ本体１は、テレビ放送や外部機器接続からの入力ソースなどを組合せ、表示部２に２画面分割したメイン表示３・サブ表示４が可能であり、２画面の分割表示をした時は、メイン画面３側の音声のみを音声出力部のスピーカー５・６から出力する。テレビ本体１には、リモコン制御信号を受信するリモコン制御信号受信部７、音声信号を送信する音声信号送信部８が備えられている。リモコン装置本体２０には、操作部２１と、リモコン制御信号送信部２２と、音声信号受信部２３と、ヘッドフォン端子２４と、集音マイク２５（音検出部）と、メイン画面音声減衰制御用操作部２６とが備わっている。本実施の形態によるヘッドフォン３１は、ヘッドバンド３１ａとイヤーパッド３１ｂの他に、集音マイク３２、リモコン制御信号送信部３３を付加機能として備えている。
【００２０】
すなわち、本実施の形態によるシステムは、メイン表示に基づきスピーカを介して出力される第１の音声とサブ表示に基づきヘッドフォンを介して出力される第２の音声と、の音声分離機能を有している。
【００２１】
以下、２画面表示させる場合のサブ画面音声の聴取に関連する音声分離機能について、機能ブロック図とフローチャート図とを参照しながら詳細に説明する。
【００２２】
まず、リモコン装置における処理の流れについて説明する。リモコン装置２０の操作部２１で設定されたテレビ動作モード（１画面か２画面かなどに関する）設定情報（ステップＳ１）、リモコン装置２０内の距離情報生成部２０４において生成したリモコン装置２０とテレビ本体１との距離に関する距離情報（ステップＳ２）と、リモコン装置２０に搭載される集音マイク２５からの音声をリモコン装置２０内の音量検出部２０３でメイン画面音声(９、１０)の音量を検出した音量情報（ステップＳ３）を、リモコン信号制御部２０５においてリモコン制御信号として生成し（ステップＳ４）、リモコン送信部２２においてテレビ本体１に向けて送信する（ステップＳ５）。また、音声信号受信部２３でサブ画面音声信号を受信し（ステップＳ６）、音声信号処理部２０６において信号処理し、ヘッドフォン端子２４より出力し（ステップＳ７）、処理を終了する（ステップＳ８）。ヘッドフォン３１においては、このサブ画面音声を聴取する。
【００２３】
一方、テレビ本体１内の処理について説明する。映像音声入力部１００より入力された映像信号は（ステップＳ１１）、リモコン受信部８で受けたテレビ動作モードの設定に従って、制御部１０９により映像信号処理部１０１を制御し２画面表示動作モードで映像表示部２へ出力され映像表示される（この場合は、２画面表示とする。ステップＳ１２）。
【００２４】
一方、音声信号は、メイン画面側の音声信号はメイン画面音声信号処理部１０４において処理され、音声出力部、通常はスピーカー５・６から出力されるとともに、メイン画面音声減衰信号生成部１１０にも出力される（ステップＳ１４）。サブ画面側の音声信号は、サブ画面音声信号処理部１０３において処理され、音声ミキサー部（ｍｉｘ：１１１）へ送られる（ステップＳ１６）。テレビ本体のリモコン受信部７が受信する情報は、リモコンの操作部２１で設定されたテレビ動作モード設定情報、リモコン内の距離情報生成部２０４で生成したリモコン装置２０とテレビ本体１との距離を測るための距離情報、および、リモコン搭載の集音マイク２５からの音声をリモコン内の音量検出部２０３でメイン画面音声９・１０の音量を検出した音量情報である。受信したリモコン制御信号のうち、距離情報は距離情報処理部１０７においてテレビ本体１とリモコン装置２０との距離を検出し、音量情報は音量情報処理部１０８において抽出され、メイン画面音声減衰信号生成部１１０に入力される。メイン画面音声減衰信号生成部１１０では、ヘッドフォン３１でサブ画面音声を聴取する際にメイン画面音声を減衰させるための信号を生成し（ステップＳ１５）、音声ミキサー１１１においてサブ画面用音声と混合し（ステップＳ１７）、音声信号を音声信号送信部８から送信する（ステップＳ１８）。
【００２５】
次ぎに、メイン画面音声減衰信号生成部１１０においては、位相制御部３０５においてメイン画面音声信号３００の１８０度位相を反転した信号を生成し（ステップＳ２１）、これに対し、システム固有に持つ音声処理系遅延情報、音声伝送系遅延情報を含む音声システム系遅延情報３０２と、前述したテレビ本体１とリモコン装置２０との距離情報３０１とを基に、メイン画面音声信号の遅延量を導出し（ステップＳ２２）、リモコン装置２０の位置、すなわち聴取位置においてメイン画面音声が打ち消される位相の音声信号を生成する（ステップＳ２３）。さらに、ゲイン制御部３０６において、前述したリモコン装置２０で検出したメイン画面音声の音量情報３０４を基にゲイン制御を行い、メイン画面音声減衰信号３０７を生成する（ステップＳ２４）。以上に説明したように、テレビ本体１とリモコン装置２０との距離情報、メイン画面音声の音量情報をテレビ本体１の音声処理系に伝送することにより、ヘッドフォン３１へ漏れ込んでくるスピーカーからのメイン画面用音声信号を減衰させるための信号を生成することができる。従って、ユーザーがヘッドフォン３１で聴取するサブ画面音声へのメイン画面音声の漏れ込みを自動的に減衰させることができる。
【００２６】
また、リモコン装置２０に搭載したメイン画面音声減衰制御用操作部２６を利用し、ユーザーがヘッドフォン３１を通してサブ画面音声を聴取中に漏れ込んでくるメイン画面音声を減衰させるよう手動で調整することも可能である。リモコン搭載のメイン画面音声減衰制御用操作部２６では、メイン画面音声減衰信号生成部１１０内の位相制御部３０５、ゲイン制御部３０６の調整を可能とする情報を扱い、リモコン装置本体内のリモコン制御部２０５においてリモコン制御信号として生成し、テレビ本体１へ送信する。テレビ本体１では、受信したリモコン制御信号をリモコン受信部７で調整情報３０３として抽出し、メイン画面音声減衰信号生成部１１０内の位相制御部３０６、ゲイン制御部３０７の調整を行い、ユーザーはヘッドフォンを通してサブ画面音声を聴取中に漏れ込んでくるメイン画面音声を減衰させることができる。
【００２７】
さらに、ユーザーの実際の聴取位置と誤差が生じないようにするため、ヘッドフォン３１にリモコン装置２０に搭載した機能を設けた構成をとることも可能である。ヘッドフォン３１にリモコン装置２０に搭載した機能が備わっている場合、リモコン装置２０側に搭載した機能は使用せずに、ヘッドフォン端子２４からリモコン操作部情報のみのリモコン制御信号２１４をヘッドフォン１３側へ送出する。図４のヘッドフォンのブロック構成例に従い、本実施の形態に係るヘッドフォンの付加機能について説明する。ヘッドフォン３１は、ヘッドフォン端子２４を経由したリモコン装置２０からのリモコン制御信号２１４、ヘッドフォン３１内の距離情報生成部２１３で生成したヘッドフォン３１とテレビ本体１との距離を測るための距離情報、および、集音マイク３２からの音声を、ヘッドフォン３１内の音量検出部２１２でメイン画面音声（９・１０）の音量を検出した音量情報を、リモコン信号生成部２１５においてリモコン制御信号として生成し、リモコン送信部３３からテレビジョン受像機１へ送信する。
【００２８】
ヘッドフォン３１にリモコン装置２０に搭載した上記の機能を設けることにより、テレビ本体１との距離情報、メイン画面音声の音量情報を、ユーザーの実際の聴取位置として計測可能となり、ヘッドフォン３１へ漏れ込んでくるスピーカー５・６からのメイン画面用音声信号を減衰させるための信号生成に関する精度を上げることが可能となる。
【００２９】
以上に説明したように、本実施の形態によるシステムは、２画面表示可能なテレビジョン受像機であり、２画面表示中のスピーカーから出力されない片画面側の音声を、テレビジョン受像機を遠隔操作するリモコン装置へ送信することが可能であり、このリモコン装置には、音声信号を受信しヘッドフォン端子へ出力することが可能なリモコン付き２画面表示テレビジョン受像機において、音声がスピーカーから出力されない画面用の音声を、ヘッドフォンを使用した聴取時に、スピーカーからの音声の漏れ込みを低減するために、リモコンに、テレビジョン受像機との距離を計測するための情報とテレビジョン受像機のスピーカーからの音量を計測した情報とを合わせた信号を生成し送信する機能を設ける。テレビジョン受像機は、リモコン装置より送信されるリモコン信号から、距離を計測するための情報とスピーカーからの音量を計測した情報とを合わせた信号を受信する機能と、受信した情報を基にスピーカーからの音声信号を減衰させる信号を生成し、スピーカーから出力する音声とは異なる音声信号に混合しリモコンへ送信する機能と設ける。
【００３０】
これにより、ユーザーは２画面表示中、スピーカーから聴こえる音声に煩わされること無くヘッドフォンで音声を聴取できるという利点がある。また、リモコン装置は、音声減衰信号を生成するための調整用操作部を設け、手動操作で減衰量を調整可能とする機能を設けることもできる。この場合には、ヘッドフォンとリモコン装置との位置が一致しない場合であって、スピーカーからの音声以外の雑音による音量検出結果が正しくない場合に、スピーカーからの音声を低減させる機能が正しく動作しないこともありうる。そこで、ユーザーは２画面表示中、手動操作で減衰量を調整することにより、スピーカーから聴こえる音声に煩わされること無くヘッドフォンで音声を聴取できる。
【００３１】
さらに、ヘッドフォンは、テレビジョン受像機との距離を計測するための情報とテレビジョン受像機のスピーカーからの音量を計測した情報とを合わせた信号を生成し送信する機能を持つことで、ユーザーの実際の聴取位置で計測可能となり、ヘッドフォンへ漏れ込んでくるスピーカーからのメイン画面用音声信号を減衰させるための信号生成の精度を上げることが可能となるという利点がある。
【産業上の利用可能性】
【００３２】
本発明は、多画面表示可能なテレビジョン受像機システムに利用可能である。
【図面の簡単な説明】
【００３３】
【図１】本発明の一実施の形態によるテレビジョン受像機とリモコンの装置を含むシステムの全体の構成例を示す図である。
【図２】本実施の形態によるテレビジョン受像機内の一構成例を示す機能ブロック図である。
【図３】本実施の形態によるリモコン装置の一構成例を示す機能ブロック図である。
【図４】本実施の形態によるヘッドフォン装置の一構成例を示す機能ブロック図である。
【図５】本実施の形態によるメイン画面音声減衰信号生成部の一構成例を示す機能ブロック図である。
【図６】リモコン装置の処理の流れを示すフローチャート図である。
【図７】テレビジョン受像機の処理の流れを示すフローチャート図である。
【図８】メイン画面音声減衰信号生成部の処理の流れを示すフローチャート図である。
【符号の説明】
【００３４】
1：テレビ本体
2：表示部
3：２画面分割表示のメイン画面
4：２画面分割表示のサブ画面
5, 6：スピーカー
7：リモコン受信部
8：音声信号送信部
9, 10：メイン画面音声
11, 34：リモコン制御信号
12：音声信号搬送波
20：リモコン本体
21：リモコン操作部
22,33：リモコン送信部
23：音声受信部
24：ヘッドフォン端子
25,32：集音マイク
26：メイン画面音声減衰制御用操作部
31：ヘッドフォン
100：映像音声信号入力部
101：映像信号処理部
103：サブ画面音声信号処理部
104：メイン画面音声信号処理部
107：距離情報処理部
108：音量情報処理部
109：テレビジョン受像機制御部
110：メイン画面音声減衰信号生成部
111：サブ画面音声ミキサー
203：音量検出部
204：距離情報生成部
205：リモコン信号制御部
206：音声信号処理部
212：音量検出部
213：距離情報生成部
214：リモコン制御信号
215：リモコン信号生成部
300：メイン画面音声信号処理部出力のメイン画面音声信号
301：距離情報処理部出力のテレビ/リモコン距離情報
302：音声システム系遅延情報
303：リモコンからのメイン画面音声減衰信号調整情報
304：音量情報処理部出力の音量情報
305：メイン画面音声減衰信号の位相制御部
306：メイン画面音声減衰信号のゲイン制御部
307：メイン画面音声減衰信号
【図１】
2008177893.tif 000003
【図２】
2008177893.tif 000004
【図３】
2008177893.tif 000005
【図４】
2008177893.tif 000006
【図５】
2008177893.tif 000007
【図６】
2008177893.tif 000008
【図７】
2008177893.tif 000009
【図８】
2008177893.tif 000010